(57)【要約】  異なる地理的地域において無線通信ネットワーク間でローミングするための携帯デバイスであって、無線チャンネルを介して、ある地理的地域において利用可能な複数のアクセス技術のうちの一つまたはそれより多いアクセス技術に関連するネットワークデータを受信する無線インタフェースと、前記アクセス技術のうちの選択された一つにおいて、通信モードを設定するための前記複数のアクセス技術の各々に関連するチャンネル取得データを保持する第１の記憶部と、複数のアクセス技術選択パラメータを保持する第２の記憶部と、前記データを評価し、前記アクセス技術の一つを、前記選択パラメータの少なくとも一つに基づいて選択するマルチモード・オーバーレイ機能要素と、を備える携帯デバイス。【選択図】なし
2008500756.tif 000002
【特許請求の範囲】
【請求項１】
異なる地理的地域において無線通信ネットワーク間でローミングするための携帯デバイスであって、
無線チャンネルを介して、ある地理的地域において利用可能な複数のアクセス技術のうちの一つまたはそれより多いアクセス技術に関連するネットワークデータを受信する無線インタフェースと、
前記アクセス技術のうちの選択された一つにおいて、通信モードを設定するための前記複数のアクセス技術の各々に関連するチャンネル取得データを保持する第１の記憶部と、
複数のアクセス技術選択パラメータを保持する第２の記憶部と、
前記データを評価し、前記アクセス技術の一つを、前記選択パラメータの少なくとも一つに基づいて選択するマルチモード・オーバーレイ機能要素と、
を備える携帯デバイス。
【請求項２】
前記マルチモード・オーバーレイ機能要素はソフトウェアモジュールとして実施される請求項１に記載の携帯デバイス。
【請求項３】
前記無線インタフェースはオペレーティング・ソフトウェアを備え、前記マルチモード・オーバーレイ機能要素は前記オペレーティング・ソフトウェアにおいて実施される請求項１に記載の携帯デバイス。
【請求項４】
前記マルチモード・オーバーレイ機能要素は、前記データを評価し、前記アクセス技術の一つを選択するための少なくとも一つのアルゴリズムを備える請求項１に記載の携帯デバイス。
【請求項５】
前記アルゴリズムはルールのセットを備える請求項４に記載の携帯デバイス。
【請求項６】
前記第２の記憶部に保持される前記アクセス技術選択パラメータは無線経由で更新可能である請求項１に記載の携帯デバイス。
【請求項７】
前記アルゴリズムは無線経由で更新可能である請求項４に記載の携帯デバイス。
【請求項８】
前記アクセス技術選択パラメータの少なくとも一つがアクセス技術を切り替えるためのタイミングを決定するための閾値を備える請求項１に記載の携帯デバイス。
【請求項９】
前記複数のアクセス技術はＣＤＭＡ、ＧＳＭ、およびＷＬＡＮを含む請求項１に記載の携帯デバイス。
【請求項１０】
マルチモード・オーバーレイ機能要素がＳＩＭ／Ｒ−ＵＩＭカードに配置される請求項１に記載の携帯デバイス。
【請求項１１】
前記第２の記憶部はＳＩＭ／Ｒ−ＵＩＭカードまたは将来のスマートカードに配置される請求項１に記載の携帯デバイス。
【請求項１２】
前記チャンネル取得データが各標準規格に従う各アクセス技術のための好ましいローミングリスト、または好ましいネットワークリストの形式で保持される請求項１に記載の携帯デバイス。
【請求項１３】
前記無線インタフェースは、通信モードを設定するために前記アクセス技術のうちの選択された一つのチャンネル取得データを使用する請求項１に記載の携帯デバイス。
【請求項１４】
前記第１の記憶部はＳＩＭ／Ｒ−ＵＩＭカードまたは将来のスマートカードにおいて保持される請求項１に記載の携帯デバイス。
【請求項１５】
異なる地理的地域における無線通信ネットワーク間の携帯デバイスローミングのために通信モードを選択するための方法であって、
携帯デバイスが配置された地域における無線通信ネットワークを特定するネットワークデータを受信する段階と、
前記携帯デバイスにおいて記憶された少なくとも一つのアクセス技術選択パラメータにアクセスする段階と、
前記少なくとも一つのアクセス技術選択パラメータと前記ネットワークデータに基づいて複数のアクセス技術のうち一つを選択するためのマルチモード・オーバーレイ機能を、前記携帯デバイスにおいて実施する段階と、
前記選択されたアクセス技術を用いて通信モードを設定するために前記選択されたアクセス技術のためのチャンネルまたはネットワーク取得データをスキャンする段階と、
を含む方法。
【請求項１６】
複数のアクセス技術の各々を使用することで信号を送受信する機能を有する携帯デバイスにおいてアクセス技術選択を管理する方法であって、
携帯デバイスから管理サーバへ、前記デバイスおよび現通信モードのアクセス技術を特定するパラメータを含む通知メッセージを送信し、
前記管理サーバから前記携帯デバイスへ、前記通信モードにしたがって、前記携帯デバイスにおいて記憶された少なくとも一つのアクセス技術選択パラメータの更新を実行するための更新メッセージを送信することを含む方法。
【請求項１７】
複数のアクセス技術の各々を使用することで信号を送受信する機能を有する携帯デバイスにおいてアクセス技術選択を管理する方法であって、
携帯デバイスから管理サーバへ、前記デバイスと現通信モードのアクセス技術を特定するパラメータを含む通知メッセージを送信し、
前記管理サーバから前記携帯デバイスへ前記通信モードにしたがって、前記携帯デバイスにおいて記憶されたマルチモード・オーバーレイ機能要素において実施される少なくともひとつのアルゴリズムの更新を実行するための更新メッセージを送信することを含む方法。
【請求項１８】
通知メッセージおよび更新メッセージの前記送信段階はオープン・モバイル・アライアンス・デバイス管理プロトコルにしたがって実施される請求項１６または１７に記載の方法。
【請求項１９】
通知メッセージおよび更新メッセージの前記送信段階が、ＯＴＡＳＰ／ＯＴＡＰＡ、ＯＭＡ  ＤＭ、３ＧＰＰ２  ＩＯＴＡ−ＤＭ／ＨＣＭまたは無線経由携帯デバイスを管理するために使用される同様のプロトコルのようなオーバー・ザ・プロトコルに基づく請求項１６または１７に記載の方法。
【請求項２０】
通知メッセージおよび更新メッセージの前記送信段階が、無線経由サービス提供／パラメータ管理プロトコルに基づいている請求項１６または１７に記載の方法。
【請求項２１】
通知メッセージおよび更新メッセージがエアー・インタフェース・メッセージングに基づいている請求項１６または１７に記載の方法。
【請求項２２】
通知メッセージおよび更新メッセージの前記送信段階が（これらに制限されないが）ＯＭＡ  ＤＭ、３ＧＰＰ２  ＩＯＴＡ−ＤＭ／ＨＣＭのようなＸＭＬベースのプロトコルにおいて実施される請求項１６または１７に記載の方法。
【請求項２３】
通知メッセージおよび更新メッセージの前記送信段階がＳＭＳベースのプロトコルにしたがって実施される請求項１６または１７に記載の方法。
【請求項２４】
通知メッセージの前記送信段階は携帯デバイスのユーザによって引き起こされる請求項１６または１７に記載の方法。
【請求項２５】
更新メッセージの前記送信段階は前記管理サーバによって引き起こされる請求項１６または１７に記載の方法。
【請求項２６】
コードシーケンスを備えるコンピュータプログラム製品であって、前記コードシーケンスは、携帯デバイスにおけるプロセッサによって実行されると、
前記携帯デバイスが配置された地域における無線通信ネットワークを特定するネットワークデータを受信する段階と、
前記携帯デバイスにおいて記憶される少なくとも一つのアクセス技術選択パラメータにアクセスする段階と、
前記少なくとも一つのアクセス技術選択パラメータおよび前記ネットワークデータに基づいて複数のアクセス技術のうちの一つを選択するためのアクセス技術選択アルゴリズムを実施する段階と、
を実行するコンピュータプログラム製品。
【発明の詳細な説明】
【技術分野】
【０００１】
同時係属仮特許出願からの優先権主張
本特許出願は、２００４年５月２７日に出願された仮特許出願番号６０／５７５，５９２号から米国特許法第１１９条（ｅ）項に基づいて優先権を主張する。その開示は、参照することにより全体として本願に組み込まれる。
【０００２】
技術分野
本発明の実施形態は、一般的には無線経由（ＯＴＡ）デバイス管理、特にはマルチモード・ローミング携帯デバイスの管理に関する。
【背景技術】
【０００３】
サービスプロバイダは、異なる地理的な地域の他のサービスプロバイダとローミング協定を設定し、それにより、ホームサービスプロバイダがサービスを提供していないある地域にユーザがいる場合であってもなお、ホームサービスプロバイダと課金協約を有する異なるサービスプロバイダによってサービスを提供することが可能である。ＣＤＭＡ（符号分割多重アクセス）のためには、携帯デバイスにおい記憶される、好ましいローミングリストＰＲＬが、どのシステム／ネットワークがそのデバイスにとってその地域で好ましいかについての情報を提供する。無線経由（ＯＴＡ）管理プロトコルは無線通信媒体を介して携帯デバイスへデータを送信することを可能とする。ＯＴＡデバイス管理（ＤＭ）の一つの例は、好ましいローミングリスト（ＰＲＬ）の再プログラミングである。ＣＤＭＡ（ＩＳ−９５システムおよびｃｄｍａ２０００ファミリーのシステム）においては、携帯ユーザが海外で初めて携帯デバイスの電源を投入したとき、その携帯デバイスはＰＲＬにおける条件にしたがって、すべての利用可能なネットワークのサーチを実行する。それから、携帯デバイスは、ＰＲＬから複数の好ましいネットワークおよびそれらがユーザに提供されるべき順番を読み込む。新規のローミング協定がなされることにより好ましいネットワークは絶えず変化するため、携帯デバイスにおいてＰＲＬを頻繁に更新する必要がある。これはＯＴＡ技術を用いて改訂されたＰＲＬを遠隔的にダウンロードすることにより実現される。ＯＴＡプロトコルは、例えば、無線経由サービス提供／パラメータ管理（ＯＴＡＳＰ／ＯＴＡＰＡ）およびオープン・モバイル・アライアンス（ＯＭＡ）デバイス管理標準規格において定義される。３ＧＰＰ  Ｃ．Ｓ００１６  Ｏｖｅｒ−ｔｈｅ−Ａｉｒ  Ｓｅｒｖｉｃｅ  Ｐｒｏｖｉｓｉｏｎｉｎｇ  ｏｆ  Ｍｏｂｉｌｅ  Ｓｔａｔｉｏｎｓ  Ｉｎ  Ｓｐｒｅａｄ  Ｓｐｅｃｔｒｕｍ  Ｓｙｓｔｅｍｓ，  ３ＧＰＰ２，  ２００３年３月，  ｈｔｔｐ：／／３ｇｐｐ２．ｏｒｇ／Ｐｕｂｌｉｃ＿ｈｔｍｌ／ｓｐｅｃｓ／ｉｎｄｅｘ．ｃｆｍを参照のこと。ＧＳＭシステムにおいては、ＭＳがホームまたはローミングに際して好ましいネットワークを選択するためのＰＬＭＮ選択手順を定義している。
【０００４】
ＯＭＡ（Ｏｐｅｎ  Ｍｏｂｉｌｅ  Ａｌｌｉａｎｃｅ）ＤＭにおいて開発された現在のプロトコルは３Ｇ携帯デバイスのＯＴＡ管理のための統合されたフレームワークを提供する。ＯＭＡデバイス管理プロトコル、バージョン１．１．２、ＯＭＡ、２００３年６月１２日、ｈｔｔｐ：／／ｗｗｗ．ｏｐｅｎｍｏｂｉｌｅａｌｌｉａｎｃｅ．ｏｒｇ／ｒｅｌｅａｓｅ＿ｐｒｏｇｒａｍ／ｅｎａｂｌｅｒ＿ｒｅｌｅａｓｅｓ．ｈｔｍｌ、３ＧＰＰ２  Ｃ．Ｓ００４０  ＩＰ  Ｂａｓｅｄ  Ｏｖｅｒ−ｔｈｅ−Ａｉｒ  ｃｏｎｆｉｇｕｒａｔｉｏｎ  ｍａｎａｇｅｍｅｎｔ、バージョン１．０、および、ｈｔｔｐ： ３ｇｐｐ２．ｏｒｇ／Ｐｕｂｌｉｃ〜ｈｔｍｌ／ｓｐｅｃｓ／Ｃ．ｓ００４０−０〜Ｖ１．０〜１１０４０３．ｐｄｆを参照のこと。
【０００５】
既存のＯＭＡ  ＤＭプロトコルは管理フレームワークおよび一つの携帯デバイスと管理サーバと呼ばれるネットワークにおけるエンティティとの間で交換されるメッセージのセットを定義する。管理セッションは管理サーバと携帯デバイスの間で設定され、ＯＴＡメッセージが構成され、それはその携帯デバイスに特有のものである。
【０００６】
図１はＣＤＭＡネットワークのための好ましいローミングリストＰＲＬの構成を例示する。各地理的地域に関連付けられたシステム表ＳＴ1．．．ＳＴi．．．ＳＴnがある。これは、一対のシステム識別子／ネットワーク識別子（ＳＩＮ／ＮＩＤ）によって指定され、取得インデックスに関連付けられたシステム詳細のリストを含む。取得インデックスは、ネットワークにおいてチャンネル取得目的のためのＲＦチャンネルのインデックスを付けられたリストを含む取得表ＡＴへのポインタとして使用される。
【０００７】
現在の標準規格によれば、値に割り当てられたＰＣＳとともに周波数ブロックを用いることで、または、第１に最も高い優先チャンネルとともにチャンネル番号を使用することで、システム取得を実行することが可能である。
【０００８】
今まで、好ましいローミングリストはＣＤＭＡ動作の文脈でのみ提供されてきた。それはアナログモードおよびＣＤＭＡモードにおけるシステム選択を含む。
【０００９】
現在、ＧＳＭ携帯装置のためには、好ましい公衆陸上移動網（ＰＬＭＮｓ）のリストが携帯デバイスの加入者識別モジュールにおいて記憶される。リムーバブル・ユーザ識別モジュール（Ｒ−ＵＩＭ）標準規格は、Ｒ−ＵＩＭをサポートするデバイスにおいて、ＰＲＬがどのように管理されるかを定義する。これは、携帯装置がホームネットワークの外にある場合、ＰＬＭＮ選択によりローミングを可能とする。しかし、ＧＳＭ携帯デバイスは、その地理的地域におけるＣＤＭＡネットワークについての情報を有していないかもしれないし、その逆もまた同様である。
【００１０】
いわゆるマルチモードデバイスが現在開発されており、それは異なるネットワーク環境においてローミングする機能を有するべきである。例えば、元々ＣＤＭＡネットワークにおいて提供されたデバイスは、ＧＳＭ、ＷＬＡＮ（Ｗｉｄｅ  Ｌｏｃａｌ  Ａｒｅａ  Ｎｅｔｏｗｒｋ）、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍｓ）、またはあらゆるその他のアクセスシステムのネットワークにおいてローミングする機能を有するべきである。この文脈においてアクセスシステムは無線インタフェース技術に基づいた携帯および無線通信システムを意味する。
【発明の開示】
【発明が解決しようとする課題】
【００１１】
したがって、既存のアクセス技術および見込まれる将来のアクセス技術との間でマルチモード・ローミングのためのアクセス技術選択の管理を改善するための必要性がある。
【課題を解決するための手段】
【００１２】
本発明の一つの態様に従えば、異なる地理的地域における無線通信ネットワーク間をローミングするための携帯デバイスが提供される。この携帯デバイスは、無線チャンネルを介して、地理的地域において利用可能な複数のアクセス技術のうち一つまたはそれより多いアクセス技術に関連するネットワークデータを受信するように構成された無線インタフェースと、前記アクセス技術の選択された一つにおいて通信モードを設定するために前記複数のアクセス技術各々に関連するチャンネル取得データを保持する第１の記憶部と、複数のアクセス技術選択パラメータを保持する第２の記憶部と、前記データを評価し、前記選択パラメータの少なくとも一つに基づいて前記アクセス技術のうち一つを選択するように構成されたマルチモード・オーバーレイ機能要素とを備える。
このアクセス技術選択パラメータは、前記携帯デバイスにおいてサポートされる前記複数のアクセス技術のためのパラメータを含むことができる。
【００１３】
本発明のもう一つの態様は異なる地理的地域における無線通信ネットワーク間の携帯デバイスローミングのための通信モードを選択する方法を提供する。この方法は、携帯デバイスが配置される地域において無線通信ネットワークを特定するネットワークデータを受信する段階と、前記携帯デバイスにおいて記憶される少なくとも一つのアクセス技術選択パラメータにアクセスする段階と、前記携帯デバイスにおいて、前記少なくとも一つのアクセス技術選択パラメータと前記ネットワークデータに基づいて複数のアクセス技術のうち一つを選択するためのマルチモード・オーバーレイ機能を実施する段階と、前記選択されたアクセス技術を使用して通信モードを設定するために、前記選択されたアクセス技術のためのチャンネル取得データをスキャンする段階とを含む。
【００１４】
本発明の更なる態様は複数のアクセス技術の各々を使用して信号を送受信する機能を有する携帯デバイスにおいてアクセス技術選択を管理する方法を提供する。この方法は、携帯デバイスから管理サーバへ、デバイスと現通信モードのアクセス技術を特定するパラメータを含む通知メッセージを送信し、管理サーバから携帯装置へ、前記通信モードにしたがって、前記携帯デバイスにおいて記憶された少なくとも一つのアクセス技術選択パラメータの更新を実行するための更新メッセージを送信することを含む。
【００１５】
本発明の異なる態様は、複数のアクセス技術の各々を用いて信号を送受信する機能を有する携帯デバイスにおいてアクセス技術選択を管理する方法を提供する。この方法は、携帯デバイスから管理サーバへ、デバイスと現通信モードのアクセス技術を特定するパラメータを含む通知メッセージを送信し、管理サーバから携帯デバイスへ、前記通信モードにしたがって、携帯デバイスにおいて記憶されたマルチモード・オーバーレイ機能要素において実施される少なくとも一つのアルゴリズムの更新を実行するための更新メッセージを送信することを含む。
【００１６】
本発明のもう一つの態様は、コードシーケンスを備えるコンピュータプログラム製品を提供する。このコードシーケンスは、携帯デバイスにおけるプロセッサによって実行されると、その携帯デバイスが配置される地域における無線通信ネットワークを特定するネットワークデータを受信する段階と、携帯デバイスにおいて記憶される少なくとも一つのアクセス技術選択パラメータにアクセスする段階と、前記少なくとも一つのアクセス技術選択パラメータおよび前記ネットワークデータに基づいて複数のアクセス技術のうちの一つを選択するためのアクセス技術選択アルゴリズムを実施する段階とを実行する。
【００１７】
本発明の実施形態に従うシステムは、効率的なマルチモード・ローミングを達成するためにオーバーレイ機能と、オーバーレイ機能を管理するための方法を提供する。
【００１８】
本発明の実施形態は、マルチモード・ローミング・オーバーレイ機能を提供する。それは、異種のネットワークにおいてマルチモード・ローミングを管理するために使用される。マルチモード・ローミング・オーバーレイ機能は、移動局のオペレーティング・ソフトウェア（無線ソフトウェア）、マルチモード・ローミング機能によって使用されるパラメータ・ブロックおよび各アクセスシステムのためのシステムとチャンネルの好ましいリストに接続される。本発明の実施形態は、情報（例えば、マルチモード・ローミング・オーバーレイ機能へ接続されるパラメータであって、アクセスシステム選択の制御において有効なパラメータ）のアップロードとダウンロードのための機構も提供する。
【００１９】
マルチモード・オーバーレイ機能および無線経由でそれを遠隔的に管理するための方法は、ＧＳＭ、ＣＤＭＡ，ＷＬＡＮおよびその端末によってサポートされるその他の将来のアクセス技術を含む異種のネットワークにおけるマルチモード・ローミングを可能とする。マルチモードアクセス端末の一つの例は、ＣＤＭＡ−ＧＳＭデュアルモード、または、このリストに限定されるものではないが、以下のアクセス技術、すなわち、ＣＤＭＡ、ＧＳＭ、ＧＰＲＳ、ＣＤＭＡ、ＨＲＰＤ、ＥＤＧＥ、ＷＬＡＮの二つまたはそれより多いアクセス技術からなる任意の端末である。
【００２０】
マルチモードシステムにおいては、複雑な状況が存在する。マルチモード・ローミング機能において実施されるアルゴリズムまたはルールは、両方のシステムが重複している地域に移動局が存在する場合に、ＧＳＭおよびＣＤＭＡの切り替えを行なうタイミングを決定するために使用され得る。したがって、一つの実施形態においてそのアルゴリズムの変更または改善が、マルチモード環境における効果的なシステム選択のために、移動局へ更新される。このマルチモード・オーバーレイ機能は好ましいＰＬＭＮおよびＰＲＬリストに独立して、更新されることが可能である。
【００２１】
ＷＬＡＮおよびその他の将来のアクセス技術を含むハイブリッドネットワークにおいて、マルチモード・オーバーレイ機能は、移動局によってサポートされる各アクセス技術のサーチとシステム選択のための機能を含むことが考えられる。
【００２２】
本発明の考えられる形態においては、移動局は共通モジュール（これはマルチモード・オーバーレイ機能と呼ばれるかもしれない）を有する。それは、マルチモード・ローミング、およびシステム選択の管理のために使用され、移動局のオペレーティング・ソフトウェア（無線ソフトウェア）、マルチモード・オーバーレイ機能によって使用されるパラメータ、および、利用可能なアクセス技術のためのシステムおよびチャンネルの好ましいリストに接続される。
【００２３】
本発明の考えられる実施形態においては、マルチモード・オーバーレイ機能はいつどのようにして異なる動作モードへ切り替え、新しい無線アクセスを選択するかを決定するためのロジックまたはアルゴリズムを含む。
【００２４】
本発明の考えられる実施形態においては、無線アクセス選択のために使用されるアルゴリズム（例えば、携帯電話が現在ＧＳＭモードで動作している場合に、ＣＤＭＡモードへ切り替えるタイミングを決定するためのアルゴリズム）に対する変更（または改善）があるような場合に、マルチモード・オーバーレイ機能および関連付けられたパラメータは、無線経由で変更され得る。
【００２５】
本発明の考えられる実施形態においては、マルチモード・オーバーレイ機能は、ＣＤＭＡ、ＧＳＭ、無線ＬＡＮ（ＷＬＡＮ）、および、あらゆる将来のアクセス技術の間で選択するための機能を含む。
【００２６】
本発明の考えられる実施形態においては、マルチモード・オーバーレイ機能は携帯電話オペレーティング・ソフトウェアの一部とすることができる。
【００２７】
本発明の考えられる実施形態においては、マルチモード・オーバーレイ機能が無線ソフトウェアから分離しているが、携帯装置の中に配置されることが可能である。
【００２８】
本発明の考えられる実施形態においては、マルチモード・オーバーレイ機能および関連付けられたパラメータ・ブロックは、ＳＩＭ／Ｒ−ＵＩＭカードにおいて配置され得る。
【００２９】
本発明の考えられる実施形態においては、マルチモード・オーバーレイ機能および関連付けられたパラメータ・ブロックはＳＩＭ／Ｒ−ＵＩＭカードまたはＳＩＭ／Ｒ−ＵＩＭの将来の拡張型において配置され得る。
【００３０】
本発明の考えられる実施形態においては、各アクセス技術のためのシステムおよびチャンネルの好ましいローミングリストを有することがある。
【００３１】
本発明の考えられる実施形態においては、無線ソフトウェアは好ましいローミングリストに接続される。無線ソフトウェアは好ましいローミングリストを使用することで、システム（またはネットワーク）および無線周波数を取得する。
【００３２】
本発明の考えられる実施形態においては、この各アクセス技術のための好ましいリストはＳＩＭ／Ｒ−ＵＩＭカードまたは将来のＳＩＭ／Ｒ−ＵＩＭの拡張型において配置される。
【００３３】
本発明の考えられる実施形態においては、マルチモード・ローミング機能を遠隔的に管理するために使用されるＯＴＡ法、関連付けられたパラメータ・ブロック、および好ましいリストは、ＣＤＭＡシステムのために使用されるＯＴＡＳＰ／ＯＴＡＰＡ（ＩＳ−６８３／３ＧＰＰ２  Ｃ．Ｓ００１６およびその改善）であることが考えられる。
【００３４】
本発明の考えられる実施形態においては、マルチモード・ローミング機能を遠隔的に管理するために使用されるＯＴＡ法、関連付けられたパラメータ・ブロック、および好ましいリストは、ＣＤＭＡシステムのために使用されるＩＯＴＡ−ＨＣＭ（３ＧＰＰ２  Ｃ．Ｓ００４０およびその改善）であることが考えられる。
【００３５】
本発明の考えられる実施形態においては、マルチモード・ローミング機能を遠隔的に管理するために使用されるＯＴＡ法、関連付けられたパラメータ・ブロック、および好ましいリストは、オープン・モバイル・アライアンス（ＯＭＡ  ＤＭ）によって定義されたデバイス管理プロトコルであることが考えられる。
【００３６】
本発明の考えられる実施形態においては、マルチモード・ローミング機能を遠隔的に管理するために使用されるＯＴＡ法、関連付けられたパラメータ・ブロック、および好ましいリストは、ＸＭＬベースのプロトコルであることが考えられる。
【００３７】
本発明の考えられる実施形態においては、マルチモード・ローミング機能を遠隔的に管理するために使用されるＯＴＡ法、関連付けられたパラメータ・ブロック、および好ましいリストは、ＳＭＳベースのプロトコルであることが考えられる。
【００３８】
本発明の考えられる実施形態においては、マルチモード・オーバーレイ・パラメータ・ブロック及びマルチモード・オーバーレイ機能は、デバイス管理機構を使用するＯＴＡ管理の目的のための階層的管理ツリーを使用することで表現される。
【００３９】
本発明の考えられる実施形態においては、好ましいリスト、マルチモード・パラメータ・ブロックおよびマルチモード・オーバーレイ機能を管理するための追加的なセキュリティ機構を有する。セキュリティは、ＣＤＭＡモードにおいて動作している場合に、他のリストと同様に、ＧＳＭのための好ましいリストが変更され得ないように定義される。セキュリティは、ＧＳＭモードにおいて動作している場合でさえ、ＣＤＭＡパラメータの管理を可能とするようにもまた定義される。新規に定義されたセキュリティ法の既存のセキュリティ機構の一つが、様々な好ましいリスト、マルチモード・パラメータ・ブロックおよびマルチモード・オーバーレイ機能の管理のセキュリティのために用いられ得る。
【００４０】
本発明の考えられる実施形態においては、ユーザは管理プロセスを開始することができ、それによって、マルチモード機能および関連付けられたパラメータの新規なバージョンおよび好ましいリストを得ることができる。
【００４１】
本発明の考えられる実施形態においては、ネットワークは管理プロセスを開始することができる。
【発明を実施するための最良の形態】
【００４２】
図２は、ネットワーク間におけるユーザローミングの原理を説明する概略図である。携帯デバイスは、以下において、携帯装置ＭＥとして言及され、第１の地域である地域１に配置され、無線リンクＲＬを介して第１のネットワークＮＷ１と通信を行なう携帯デバイスが説明される。よく知られているように、無線リンクは、携帯装置ＭＥとネットワークの間のエアーインタフェースを介する物理信号チャンネルからなる。この場合、携帯装置ＭＥが通信するネットワークはＣＤＭＡ（符号分割多重アクセス）ネットワークであり、無線リンクのための通信モードはＣＤＭＡである。しかし、地域１は第２のネットワークＮＷ２もまたサポートする。この説明において、それはＧＳＭネットワークである。いわゆるマルチモード携帯デバイスは、ＣＤＭＡ、ＧＳＭ、ＷＬＡＮ、ＵＭＴＳ等のような異なるアクセス技術を用いて動作することが可能である。この目的を達成するために、それらに、携帯装置において動作する適切なクライアントソフトウェアが、サポートされる複数の異なるアクセス技術の各々に従って信号を受信し送信するための無線インタフェースを提供する。任意の特定の地域においては、複数のネットワークまたはシステムのうちの一つが好ましいということがありうるが、異なる地理的地域は一つまたはそれよりも多い異なるアクセス技術のネットワークまたはシステムを提供することが可能である。
【００４３】
携帯装置ＭＥが第２の地域である地域２へと移動するとき、その地域は同様に一つより多いネットワークに異なるアクセス技術（ＮＷ３−ＣＤＭＡ、ＮＷ４−ＧＳＭ）を提供する。地域２において、携帯装置ＭＥはその特定の地域のためにはどれが好ましいアクセス技術であるかを決定する必要がある。
【００４４】
よく知られるように、携帯装置はメモリ２を備える。とりわけ、メモリ２は好ましいローミングリストＰＲＬを記憶する。携帯装置ＭＥの幾つかのタイプにおいては、メモリ２の代わりに、リプレイサブル・ユーザ識別モジュール（Ｒ−ＵＩＭ）が、好ましいローミングリストＰＲＬを記憶するために使用される。多くの場合において、携帯装置は携帯電話であるが、携帯装置のその他の形式、特に携帯コンピュータを用いることが可能であることは理解されるであろう。
【００４５】
図３は、携帯装置ＭＥにおいて記憶される好ましいローミングリストの構造、および、アクセス技術選択の管理のための構成要素を示す。
【００４６】
図３において示されるＰＲＬは、ＣＤＭＡ  ＰＲＬブロック６、ＧＳＭ  ＰＲＬ（ＰＬＭＮ）ブロック８、およびその他のアクセス技術のためのＰＲＬブロック１０を含んだアクセス技術特有のＰＲＬブロックのセットを有する。好ましいローミングリスト（ＰＲＬ）は、ユーザがローミングするときに、好ましいシステムを選択し、チャンネルを取得するために、ＣＤＭＡ携帯デバイスにおいて使用される。ＰＲＬは、優先度の順番に、システム、ネットワーク、およびチャンネル・プリファレンス（ｐｒｅｆｅｒｅｎｃｅ）を定義する。ＧＳＭにおいては、好ましいＰＬＭＮのリストがＳＩＭにおいて記憶される。これは、携帯電話が訪問地域において好ましいＰＬＭＮを選択することで、ホームＰＬＭＮの外にいるときに、ＰＬＭＮ選択によってローミングすることを可能とする。個別のアクセス技術特有のブロック６、８、１０の各々は、選択されたアクセス技術を介してその特定の地域における通信のための無線リンクを設定するときに、携帯装置ＭＥが使用するためのチャンネル取得データを含む。
【００４７】
ＰＲＬおよびＰＬＭＮリストは静的なデータブロックであり、それは携帯装置（ＭＥ）の不揮発性メモリまたはＲ−ＵＩＭ／ＳＩＭカードのいずれかにおいて記憶され得る。ＷＬＡＮおよびその他のアクセス技術のためのＰＲＬが存在することが可能であり、また、同じ方法で記憶され得る。ＷＬＡＮシステム選択のためには、リスト・プリファレンスはＰＲＬともＰＬＭＮとは呼ばれないであろうが、将来の標準規格において定義される名前とともに新しいパラメータ・ブロックとなりうる。同様に、他の将来のアクセス技術のためには、ＰＲＬまたはＰＬＭＮの機能性とともにパラメータ・ブロックが存在することもまた可能である。
【００４８】
ホームネットワークにおけるＰＲＬの最初の提供は、インターネットプロトコル（ＩＰ）であって無線経由デバイス管理に基づいたもの（ＩＯＴＡ−ＤＭ）または無線経由サービス提供／パラメータ管理（ＯＴＳＡＰ／ＯＴＡＰＡ）プロトコルを用いてなされ得る。これは、選択された方法、および、特にそのデータが、データバーストにおいてＩＰベースのプロトコルを介して供給されるべきか、または、ホームネットワークにおいて純粋なエアインタフェースシグナリングを用いて供給されるべきかに依存する。もう一つの方法として、最初の提供は、製造時においてＳＩＭカードまたはＲ−ＵＩＭのようなデバイスに、ローミング情報、および、パラメータを格納することで、製造又は流通過程を通して実施され得る。様々なアクセス技術のための好ましいリスト（ＣＤＭＡのためのＰＲＬ、ＧＳＭのためのＰＬＭＮおよびその他のアクセス技術のためのプリファレンスリスト）がＯＴＡ法を用いて更新され得る。ＯＴＡ法はＩＳ−６８３ＯＴＡＳＰ／ＯＴＡＰＡ（およびその後の改訂版）、ＯＭＡ装置管理（およびその後の改訂版）、または任意のその他のＯＴＡ技術であって、安全な方法で移動局データを管理する機能を有するものとすることができる。
【００４９】
図３は、本発明の実施形態にしたがうマルチモード・ローミング・パラメータ・ブロック２２に接続されたマルチモード・オーバーレイ機能ブロック２０、様々なアクセス技術のための好ましいローミングリスト（ＰＲＬ）、および、無線ソフトウェア要素２４を示す。
【００５０】
オーバーレイ機能ブロック２０は、ＭＥマルチモード端末が動作するためのシステムを選択する。例えば、マルチモード端末のための好ましいモードがＣＤＭＡであるが、ＣＤＭＡサービスが地域において利用可能でない場合、オーバーレイ機能は、次の好ましいアクセス技術および利用可能なシステムを選択するよう、その端末に指示する。それはＧＳＭシステムかＷＬＡＮのどちらかまたは任意のその他の技術であることが考えられる。
【００５１】
移動局が一つのモードで動作している場合、もう一つのアクセス技術／システムの存在をバックグラウンドでサーチすることが可能であるかもしれない。アクセスシステムのサーチを行なうためのアルゴリズムまたはルールは、マルチモード・オーバーレイ機能ブロック２０において実施される。一つのそういったルールは、電池寿命の効率性を改善するために端末がどの程度頻繁にアクセスシステムをサーチするかに基づくことが可能である。オーバーレイ機能２０において保持されるルールのセットは、携帯装置において更新されるか、ネットワークへアップロードされることが可能である。それはＯＴＡ管理法によって、デバイスメモリかＲ−ＵＩＭ／ＳＩＭか将来のスマートカード技術へダウンロードすることが可能である。そのアルゴリズムへの変更または改良は、マルチモード環境において、効果的なシステムのために、携帯装置へ更新されることが可能である。マルチモード・オーバーレイ機能に対応するコードおよびパラメータは、好ましいＰＲＬおよび／またはＰＬＭＮリストとは独立して更新することが可能である。
【００５２】
無線ソフトウェア要素２４は、図３に示されるようにマルチモード・オーバーレイ機能ブロック２０に接続される。マルチモード・ローミング・パラメータ・ブロック２２において特定されるパラメータに基づいて好ましいアクセス技術を検索することを可能とすることで、マルチモード・オーバーレイ機能ブロック２０は無線ソフトウェア構成要素２４へ結果を出力する。これは、無線ソフトウェアがＰＲＬにもまた接続されていることを意味する。
【００５３】
マルチモード・ローミング・パラメータ・ブロック２２は、アクセス技術の選択を決定するためにオーバーレイ機能がアルゴリズム／ルールにおいて使用するパラメータを保持する。このパラメータは、オーバーレイ機能ブロック２０において実施されるシステム選択のためのアルゴリズムによって使用されるべき閾値に加えて、各アクセス技術のサーチのタイミングを含むことができる。例えば、ＧＳＭおよびＣＤＭＡサービスがある地域で重複している場合、マルチモード・オーバーレイ機能２０（パラメータ・ブロック２２におけるパラメータに基づいている）および信号強度（ＧＳＭにおけるビーコン周波数で受信された信号の強度またはＣＤＭＡにおける受信信号強度（ＲＳＳＩ））の測定のようなネットワークデータは、所定の地域においてＧＳＭまたはＣＤＭＡシステムを選択するかを決定することができる。マルチモード・オーバーレイ機能によってなされるこのシステム選択決定は、無線ソフトウェア要素２４に、選択されたアクセス技術およびシステムにおいて好ましいチャンネルを取得するプロセスを開始させる。
【００５４】
マルチモード・オーバーレイ機能は無線ソフトウェア要素２４に統合され得る。それは、図３に示すように別個のソフトウェアとして実施することも可能である。両方の場合において、マルチモード・オーバーレイ機能に対するアップグレードおよび変更はＯＴＡ法を用いて管理することができる。ＯＭＡダウンロード、ファームウェアＯＴＡ（ＦＯＴＡ）、プレインＦＴＰ、または、安全な方法で移動局ソフトウェアの更新を行なうためのあらゆるその他の技術のようなＯＴＡソフトウェア更新のさまざまな方法が存在する。
【００５５】
図４は、管理ツリー構造２８を介して、好ましいリストを含む、マルチモード・オーバーレイ機能ブロック２０に接続されたＯＴＡ管理クライアント２６、無線ソフトウェア構成要素２４、および、様々なパラメータ・ブロック２２を示す。
【００５６】
管理クライアント２６がマルチモード・ローミングのＯＴＡ管理のために使用される。様々なパラメータ・ブロックおよびマルチモード・ローミング機能は、デバイス管理プロトコルを用いるＯＴＡ管理の目的のために階層的管理ツリー構造２８を使用することで抽象化することが考えられる。
【００５７】
ユーザがネットワーク間をローミングするときのマルチモード・オーバーレイ機能の動作が以下に記述される。ＧＳＭシステムおよびその発展形において、セル選択は、ビーコン周波数において移動局によって受信される信号レベルを測定することによってなされる。両方のセルが重複する地域に移動局がある場合に、一つのセルからもう一方へ切り替えるタイミングを決定するためにあるアルゴリズムが指定される。このアルゴリズムは、両セルのビーコン周波数における信号強度および特定の閾値に基づく。ＣＤＭＡシステムにおいて、有効なパイロットチャンネルがチャンネル取得のためにサーチされる。このルールのセットはオーバーレイ機能において保持されることが可能であり、そして、ＯＴＡ管理法によってネットワークへアップロードされ、または、端末メモリ（またはＲ−ＵＩＭ／ＳＩＭ）へダウンロードされることが可能である。図４において、第２の地域２へ到達した携帯装置ＭＥについて考える。第２の地域においては、ＣＤＭＡネットワークＮＷ３は、基地局ＢＴＳにその地域におけるすべてのユーザへシステムおよびネットワークデータを特定する同報メッセージ４０を送信させる。ＣＤＭＡの場合においては、これらは、利用可能なＣＤＭＡシステムのための一対のＳＩＤ／ＮＩＤである。ＧＳＭネットワークにおいては、基地局はビーコン周波数を送信し、携帯装置は、好ましいＧＳＭシステムを検索するために、任意のビーコン周波数の信号強度を評価する。オーバーレイ機能は、無線ソフトウェア要素２４を介してこのデータを受信し、そのアルゴリズムおよびパラメータ・ブロック２２におけるパラメータにしたがって、この好ましいアクセス技術およびシステムを特定する。携帯装置ＭＥは、好ましいアクセス技術に対応するＰＲＬへアクセスすることが可能であり、チャンネル取得のためのそのＰＲＬブロックを、それからスキャンすることが可能である。これは、すべての考えられるアクセス技術のためのパラメータを合成する単一の好ましいローミングリストを使用するより迅速である。
【００５８】
アクセス技術選択の管理は以下の方法で実行される。効率的なローミングは、キャリアおよびユーザプリファレンスが変化する場合、ＰＲＬ、パラメータ・ブロックおよびオーバーレイ機能ブロックの最新の管理を要求する。
【００５９】
ネットワークにおいて管理サーバ（ＭＳ）を用いることで、管理は実行される。図４はＵＭＴＳ（Ｕｎｉｖｅｒｓａｌ  Ｍｏｂｉｌｅ  Ｔｅｌｅｃｏｍｍｕｎｉｃａｔｉｏｎｓ  Ｎｅｔｗｏｒｋ）の構造の一部を図式的に示す。これは、ＲＮＣ（Ｒａｄｉｏ  Ｎｅｔｗｏｒｋ  Ｃｏｎｔｒｏｌｌｅｒ）、ＳＧＳＮ（Ｓｅｒｖｉｎｇ  ＧＰＲＳ  Ｓｕｐｐｏｒｔ  Ｎｏｄｅ）、ＧＧＳＮ（Ｇａｔｅｗａｙ  ＧＰＲＳ  Ｓｕｐｐｏｒｔ  Ｎｏｄｅ）、管理サーバ（ＭＳ）、およびインターネットを示す。図４において、管理サーバＭＳは、ＧＧＳＮを経由して、オペレータのＧＯＲＳドメインへ、直接的に接続される。もう一つの実施形態においては、管理サーバは、インターネットを介してオペレータのＧＧＳＮへ接続されることが考えられる。
【００６０】
上述のように、ホームネットワークにおいて初期に提供されたＰＲＬは、携帯装置ＭＥが、それが配置されている地域における初期の好ましいアクセス技術を選択することを可能とする。好ましいアクセス技術が選択された後に、携帯装置ＭＥにおけるデバイス情報ツリー２８は「現モード」パラメータ＜ｃｍｐ＞によって更新される。図５において説明されるように、通知メッセージ４２は、選択されたアクセス技術を用いて、携帯装置ＭＥにおけるＯＴＡ管理クライアント２６から管理サーバＭＳへ、携帯装置が現在配置されている地理的地域において、通信モードにしたがって送信される。この通知メッセージ４２は、現モードパラメータ＜ｃｍｐ＞を含み、他のパラメータはユーザ／装置の同一性および特定ユーザの加入サービスを識別する。この情報に基づいて、メモリ２、パラメータ・ブロック２２またはマルチモード・オーバーレイ機能ブロック２０に記憶された一つまたはすべての好ましいローミングリストを更新するために管理サーバＭＳは更新メッセージ２４を携帯装置へ送り返す。
【００６１】
特定の実施形態の文脈において記述されたが、当業者には、これらの教示に対する多くの修正および様々な変更がなされることは明らかであろう。したがって、本発明が特に一つ又はそれより多くの好ましい実施形態に関連してそこに示され、記述されたが、当業者にとっては、形式または形態上の特定の修正または変更が、上述された発明の範囲及び精神から逸脱しないようにその中でなされることが理解されるであろう。
【００６２】
本発明のよりよい理解のため、および、どのようにして同じように実施し得るのかを示すために、例としての添付図面について説明する。
【図面の簡単な説明】
【００６３】
【図１】図１は既存の好ましいローミングリストの概略図である。
【図２】図２はローミング携帯デバイスを例示した概略図である。
【図３】図３は本発明の一つの実施形態にしたがう携帯デバイスの構成を説明する概略図である。
【図４】図４はＯＴＡ管理クライアントを備える携帯デバイスの構成を説明する概略図である。
【図５】図５はＯＴＡ管理を説明する概略図である。
【図１】
2008500756.tif 000003
【図２】
2008500756.tif 000004
【図３】
2008500756.tif 000005
【図４】
2008500756.tif 000006
【図５】
2008500756.tif 000007
【国際調査報告】
2008500756.tif 000008
2008500756.tif 000009
2008500756.tif 000010
2008500756.tif 000011
2008500756.tif 000012